(57)【要約】  空調機等に使用されるリモートコントローラ（１）は、情報を表示する表示部（２）と、表示部（２）の前面に設けられ、表示部（２）への入力操作が行われるタッチパネル（３）と、人を検出する人検出部（４）と、明るさを検出する明るさ検出部（５）と、タッチパネルにおける入力結果、人検出部(４)における検出結果、及び明るさ検出部（５）における検出結果に基づいて、表示部（２）における表示状態を、通常モードから、管理情報を表示する管理モードである検出座標位置補正モードに切り替える制御部と、を有する。
2015140972.tif 000002
【特許請求の範囲】
【請求項１】
情報を表示する表示部と、  前記表示部の前面に設けられ、前記表示部への入力操作が行われるタッチパネルと、  人を検出する人検出部と、  明るさを検出する明るさ検出部と、  前記タッチパネルにおける入力結果、前記人検出部における検出結果、及び前記明るさ検出部における検出結果に基づいて、前記表示部における表示状態を、通常モードから、管理情報を表示する管理モードに切り替える制御部と、を有する  リモートコントローラ。
【請求項２】
前記制御部は、  前記人検出部において人がいないことが検出されたか否かを判定する人判定手段を有し、  前記人判定手段において人がいないと判定された場合、前記表示部における表示状態を切り替えるものである  請求項１記載のリモートコントローラ。
【請求項３】
前記制御部は、  前記タッチパネルにおける入力が行われたか否かを判定する入力判定手段を有し、  前記入力判定手段において入力が行われたと判定された場合、前記表示部における表示状態を切り替えるものである  請求項１又は２記載のリモートコントローラ。
【請求項４】
前記制御部は、  前記明るさ検出部において検出された明るさが、予め決められた明るさ閾値以上であるか否かを判定する明るさ判定手段と、  前記明るさ検出部において検出された明るさが前記明るさ閾値以上であると前記明るさ判定手段において判定された場合、前記表示部における表示状態を切り替えるものである  請求項１〜３のいずれか１項に記載のリモートコントローラ。
【請求項５】
前記制御部は、  前記明るさ判定手段における判定結果と、予め決められた明るさ基準パターンとを比較するパターン判定手段を更に有し、  前記明るさ判定手段における判定結果と前記明るさ基準パターンとが一致したことが前記パターン判定手段において判定された場合、前記表示部における表示状態を切り替えるものである  請求項４記載のリモートコントローラ。
【請求項６】
前記パターン判定手段は、  前記明るさ検出部において検出された明るさが前記明るさ閾値以上である明状態と前記明るさ検出部において検出された明るさが前記明るさ閾値未満である暗状態との組み合わせである明暗パターンと、前記明るさ基準パターンとを比較するものである  請求項５記載のリモートコントローラ。
【請求項７】
前記明暗パターンは、  予め決められた時間毎の前記明状態と前記暗状態との組み合わせからなる  請求項６記載のリモートコントローラ。
【請求項８】
前記明るさ判定手段における判定結果を、前記明状態及び前記暗状態に変更するタイミングを報知する報知部と、を更に有する  請求項６又は７記載のリモートコントローラ。
【請求項９】
前記表示部は、  液晶パネルとバックライトとを有し、  前記報知部として、前記バックライトが使用される  請求項８記載のリモートコントローラ。
【請求項１０】
前記報知部は、  ＬＥＤである  請求項８又は９記載のリモートコントローラ。
【請求項１１】
前記管理モードは、前記タッチパネルにおける検出座標の補正が行われる検出座標補正モードである  請求項１〜１０のいずれか１項に記載のリモートコントローラ。
【発明の詳細な説明】
【技術分野】
【０００１】  本発明は、制御部を備えるリモートコントローラに関する。
【背景技術】
【０００２】  リモートコントローラとして、例えば空調機等に使用されるリモートコントローラが従来から提案されている。このようなリモートコントローラのなかには、例えば液晶ディスプレイ等の表示部にタッチパネルが設けられており、タッチパネル操作機能が搭載されたものがある。タッチパネルには、一般的に、その検出座標を適宜補正するため、検出座標補正モードが備わっている。そして、この検出座標補正モードは、通常使用時に、悪戯を目的として勝手に検出座標補正モードに移行されてしまうことを防止するために、移行の条件として、複数の数字又は文字等からなるパスワードの入力が要求される。【０００３】  また、これに類似する技術として、特許文献１には、周辺状況の情報に基づいて、通常の動作モードから監視モードに切り替えられる携帯端末装置が開示されている。この特許文献１において、周辺状況の情報として、例えば、加速度センサ又は照度センサによって得られる情報が使用されている。
【先行技術文献】
【特許文献】
【０００４】
【特許文献１】特開２０１１−２２８８７２号公報（請求項１、請求項５、第６頁）
【発明の概要】
【発明が解決しようとする課題】
【０００５】  しかしながら、検出座標補正モードへの移行に、パスワードの入力が要求される場合、経年劣化等によってパスワードを入力することさえ不可能であるほど、タッチパネルの検出座標がずれている可能性がある。この場合、タッチパネルを使用してパスワードを入力しようとしても、正常な入力ができず、検出座標補正モードに移行することができない。このため、タッチパネル以外の部分が正常であり、タッチパネルの検出座標さえ補正すれば、継続して使用可能なリモートコントローラであっても、リモートコントローラ自体を製品交換しなければならないという問題が生じる。【０００６】  また、特許文献１に開示された携帯端末装置は、加速度センサ又は照度センサによって得られる情報だけで、動作モードから監視モードに切り替えられるが、これらの加速度センサ又は照度センサによって得られる情報のみに基づいて表示状態を切り替えようとすると、些細な状況の変化によって、意図せず容易に表示状態が切り替わってしまう状態が生じ得る。このように、特許文献１では、表示状態の切り替えの誤動作が発生する可能性が高い。【０００７】  本発明は、上記のような課題を背景としてなされたもので、パスワードの入力が不要で且つ意図せず表示状態が切り替わる誤動作を抑制するリモートコントローラを提供するものである。
【課題を解決するための手段】
【０００８】  本発明に係るリモートコントローラは、情報を表示する表示部と、表示部の前面に設けられ、表示部への入力操作が行われるタッチパネルと、人を検出する人検出部と、明るさを検出する明るさ検出部と、タッチパネルにおける入力結果、人検出部における検出結果、及び明るさ検出部における検出結果に基づいて、表示部における表示状態を、通常モードから、管理情報を表示する管理モードに切り替える制御部と、を有する。
【発明の効果】
【０００９】  本発明によれば、タッチパネルにおける入力結果、人検出部における検出結果、及び明るさ検出部における検出結果に基づいて、表示部における表示状態が通常モードから管理モードに切り替えられる。このため、表示状態を切り替える際、パスワードの入力が不要であり、また、意図せず表示状態が切り替わる誤動作が抑制される。
【図面の簡単な説明】
【００１０】
【図１】実施の形態１に係るリモートコントローラ１を示す正面図である。
【図２】実施の形態１における制御部１０を示すブロック図である。
【図３】実施の形態１に係るリモートコントローラ１の動作を示すタイミングチャートである。
【図４】実施の形態１に係るリモートコントローラ１の動作を示すフローチャートである。
【図５】実施の形態２に係るリモートコントローラ１００の動作を示すタイミングチャートである。
【図６】実施の形態２に係るリモートコントローラ１００の動作を示すフローチャートである。
【発明を実施するための形態】
【００１１】  以下、本発明に係るリモートコントローラの実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１２】実施の形態１．  図１は、実施の形態１に係るリモートコントローラ１を示す正面図である。この図１に基づいて、リモートコントローラ１について説明する。図１に示すように、リモートコントローラ１は、例えば空調機等に使用されるものであり、表示部２と、タッチパネル３と、人検出部４と、明るさ検出部５と、ＬＥＤ６と、制御部１０とを備えている。
【００１３】  （表示部２）  表示部２は、空調機等の各情報を表示するものであり、液晶パネル２ａと、その背面に設けられたバックライト２ｂとを備えている。表示部２は、リモートコントローラ１の中央部に設置されているが、設置場所は、リモートコントローラ１の縁部でもよい。また、その大きさは適宜変更可能である。
【００１４】  （タッチパネル３）  タッチパネル３は、表示部２の前面に設けられ、表示部２への入力操作が行われるものである。表示部２に表示された数字又は文字等に、タッチパネル３を介して接触することによって、その接触した部分の情報が、リモートコントローラ１に反映される。
【００１５】  （人検出部４）  人検出部４は、人を検出するものであり、例えば、人感センサとすることができる。人検出部４は、リモートコントローラ１の上部且つ側部に設けられているが、設置場所は、リモートコントローラ１の下部でもよく、特に限定されない。また、その大きさは適宜変更可能である。
【００１６】  （明るさ検出部５）  明るさ検出部５は、明るさを検出するものであり、例えば、照度センサとすることができる。明るさ検出部５は、リモートコントローラ１の上部且つ人検出部４の近傍に設置されているが、設置場所は、リモートコントローラ１の下部でもよいし、側部でもよい。また、人検出部４の近傍である必要もない。更に、その大きさは適宜変更可能である。
【００１７】  （ＬＥＤ６）  ＬＥＤ６は、電圧を印加した際に発光する発光素子である。このＬＥＤ６は、リモートコントローラ１の下部に設けられているが、設置場所は、リモートコントローラ１の上部でもよいし、側部でもよい。また、その大きさは適宜変更可能である。
【００１８】  （制御部１０）  制御部１０は、タッチパネル３における入力結果、人検出部４における検出結果、及び明るさ検出部５における検出結果に基づいて、表示部２における表示状態を、通常モードから、管理情報を表示する管理モードに切り替えるものである。通常モードは、タッチパネル３における通常の入力が行われるものである。また、管理モードの一例としては、検出座標補正モードがあり、この検出座標補正モードは、タッチパネル３における検出座標の補正が行われるものである。この場合、制御部１０は、タッチパネル３における入力結果、人検出部４における検出結果、及び明るさ検出部５における検出結果に基づいて、通常モードから検出座標補正モードに切り替える。
【００１９】  図２は、実施の形態１における制御部１０を示すブロック図である。図２に示すように、制御部１０は、人判定手段１１と、入力判定手段１２と、明るさ判定手段１３と、パターン判定手段１４とを備えている。
【００２０】  （人判定手段１１）  人判定手段１１は、人検出部４において人がいないことが検出されたか否かを判定するものである。そして、人判定手段１１は、人がいないと判定した場合、入力判定手段１２に、人がいないという情報を含む信号を送信する。
【００２１】  （入力判定手段１２）  入力判定手段１２は、タッチパネル３における入力が行われたか否かを判定するものある。そして、入力判定手段１２は、タッチパネル３における入力が行われたと判定した場合、明るさ判定手段１３に、入力が行われたという情報を含む信号を送信する。
【００２２】  （明るさ判定手段１３）  明るさ判定手段１３は、明るさ検出部５において検出された明るさが、予め決められた明るさ閾値以上であるか否かを判定するものである。明るさ判定手段１３における判定結果としては、例えば、明るさ検出部５において検出された明るさが明るさ閾値以上である明状態と、明るさ検出部５において検出された明るさが明るさ閾値未満である暗状態との組み合わせである明暗パターンとすることができる。なお、人判定手段１１において人がいないと判定され、且つ、入力判定手段１２において入力が行われたと判定されると、明暗パターン入力受付モードに移行する。そして、この明暗パターン入力受付モードにおいて、明暗パターンの入力を待機する状態となる。
【００２３】  明暗パターンは、予め決められた時間毎の明状態と暗状態との組み合わせからなる。図３は、実施の形態１に係るリモートコントローラ１の動作を示すタイミングチャートである。図３に示すように、人判定手段１１において人がいないと判定され、且つ、入力判定手段１２において入力が行われたと判定されたことがトリガとなり、その後、明暗パターンが取得される。時間の計測がスタートされた後、１秒後に、明状態であるか否かが、明るさ判定手段１３によって判定される。これを１回目とする。それが４回繰り返され、夫々、１回目、２回目、３回目、４回目において明るさ判定手段１３が、その都度、判定を行う。
【００２４】  そして、明暗パターンは、これらの４回の明状態と暗状態との組み合わせからなるものである。図３においては、１回目：明状態、２回目：暗状態、３回目：明状態、４回目：暗状態という明暗パターンを例示している。明るさ判定手段１３は、これらの明暗パターンを含む信号を、パターン判定手段１４に送信する。
【００２５】  なお、明るさ判定手段１３は、明るさ検出部５において検出された明るさが明るさ閾値以上であると判定した場合、この情報を含む信号を、パターン判定手段１４に送信するように構成してもよい。この場合、明るさ判定手段１３における判定結果である明暗パターンは、１回目：明状態のみである。
【００２６】  （パターン判定手段１４）  パターン判定手段１４は、明るさ判定手段１３における判定結果と、予め決められた明るさ基準パターンとを比較するものである。より具体的には、パターン判定手段１４は、明るさ検出部５において検出された明るさが明るさ閾値以上である明状態と明るさ検出部５において検出された明るさが明るさ閾値未満である暗状態との組み合わせである明暗パターンと、明るさ基準パターンとを比較するものである。なお、明るさ基準パターンは、合計で４回の明状態と暗状態との組み合わせからなるものである。本実施の形態１においては、１回目：明状態、２回目：暗状態、３回目：明状態、４回目：暗状態という明るさ基準パターンとしている。
【００２７】  そして、パターン判定手段１４は、明るさ判定手段１３における判定結果、即ち明暗パターンと、明るさ基準パターンとが一致したことを判定した場合、明暗パターンと明るさ基準パターンとが一致したという情報を含む信号を表示部２に送信する。これにより、表示部２の表示状態が、通常モードから検出座標補正モードに切り替えられる。
【００２８】  次に、本実施の形態１に係るリモートコントローラ１の動作について説明する。図４は、実施の形態１に係るリモートコントローラ１の動作を示すフローチャートである。図４に示すように、リモートコントローラ１の制御が開始されると、先ず、人判定手段１１によって、人検出部４において人がいないことが検出されたか否かが判定される（ステップＳ１）。人判定手段１１によって、人がいると判定された場合（ステップＳ１のＮｏ）、再度ステップＳ１に戻る。一方、人判定手段１１によって、人がいないと判定された場合（ステップＳ１のＹｅｓ）、ステップＳ２に進む。
【００２９】  ステップＳ２では、入力判定手段１２によって、タッチパネル３における入力が行われた否かが判定される。入力判定手段１２によって、入力が行われていない（入力なし）と判定された場合（ステップＳ２のＮｏ）、ステップＳ１に戻る。これに対し、入力判定手段１２によって、入力が行われた（入力あり）と判定された場合（ステップＳ２のＹｅｓ）、明暗パターン入力受付モードに移行される（ステップＳ３）。
【００３０】  そして、ステップＳ３において、明るさ判定手段１３によって得られる判定結果、即ち、明暗パターンが取得される。その後、パターン判定手段１４によって、明暗パターンと明るさ基準パターンとが比較される（ステップＳ４）。なお、明暗パターンにおける明状態又は暗状態の切り替えは、例えばリモートコントローラ１を操作するユーザが、明るさ検出部５を指で覆ったりすることによって行われる。この場合、明状態は、明るさ検出部５を露出することによって得られ、また、暗状態は、明るさ検出部５を指で覆うことによって得られる。
【００３１】  パターン判定手段１４によって、明暗パターンと明るさ基準パターンとが相違することが判定された場合（ステップＳ４のＮｏ）、ステップＳ１に戻る。これに対し、パターン判定手段１４によって、明暗パターンと明るさ基準パターンとが一致することが判定された場合（ステップＳ４のＹｅｓ）、通常モードから検出座標補正モードに移行される（ステップＳ５）。そして、検出座標補正モードにおいて、タッチパネル３の検出座標の補正が行われると、その処理が完了され、通常モードに復帰される。
【００３２】  以上説明したように、リモートコントローラ１は、タッチパネル３における入力結果、人検出部４における検出結果、及び明るさ検出部５における検出結果に基づいて、表示部２における表示状態が切り替えられる。このため、表示状態を切り替える際、パスワードの入力が不要である。
【００３３】  即ち、本実施の形態１は、経年劣化等によってタッチパネル３による正常な入力が不可能であるほど、タッチパネル３の検出座標がずれていても、パスワードを入力せずに、検出座標補正モードに移行することができる。このため、タッチパネル３以外の部分が正常であり、タッチパネル３の検出座標さえ補正すれば継続して使用可能なリモートコントローラ１であれば、検出座標補正モードにおいて検出座標の補正が行われ、これにより、リモートコントローラ１自体を製品交換せずとも、引き続き使用することが可能である。
【００３４】  また、表示状態の切り替えが、タッチパネル３における入力結果、人検出部４における検出結果、及び明るさ検出部５における検出結果という３個の情報に基づいて行われているため、意図せず表示状態が切り替わる誤動作が抑制される。これに対し、例えば照度センサ等の照度情報のみに基づいて、表示部２における表示状態を切り替えようとすると、リモートコントローラ１が使用される居室等の明るさの如何によって、意図せず容易に表示状態が切り替わってしまう状態が生じてしまう。
【００３５】  また、本実施の形態１では、人判定手段１１は、人がいないと判定した場合、入力判定手段１２に、人がいないという情報を含む信号を送信する。そして、入力判定手段１２は、タッチパネル３における入力が行われたと判定した場合、明るさ判定手段１３に、入力が行われたという情報を含む信号を送信する。これにより、明暗パターン入力受付モードに移行される。
【００３６】  通例、タッチパネル３による入力が行われている場合、そのタッチパネル３が搭載されたリモートコントローラ１の近くに人がいる。本実施の形態１は、人がいないにもかかわらず、タッチパネル３による入力が行われるという通常使用時に生じ得ない状況を意図的に作り出し、この状況をもって初めて、明暗パターン入力受付モードに移行される構成としている。これにより、意図せず表示状態が切り替わる誤動作を、より抑制することができる。
【００３７】  なお、前述の如く、入力判定手段１２は、タッチパネル３における入力が行われたと判定した場合、明るさ判定手段１３に、入力が行われたという情報を含む信号を送信するが、この入力が行われたという情報には、座標データを含んでもよいし、座標データを省略してもよい。
【００３８】実施の形態２．  次に、実施の形態２に係るリモートコントローラ１００について説明する。図５は、実施の形態２に係るリモートコントローラ１００の動作を示すタイミングチャートである。実施の形態２は、報知部７が、明るさ判定手段１３における判定結果を、明状態及び暗状態に変更するタイミングを報知する点で、実施の形態１と相違する。本実施の形態２では、実施の形態１と共通する部分は同一の符号を付して説明を省略し、実施の形態１との相違点を中心に説明する。
【００３９】  本実施の形態２では、報知部７として、リモートコントローラ１００に設けられたＬＥＤ６が使用されている。図５に示すように、人判定手段１１において人がいないと判定され、且つ、入力判定手段１２において入力が行われたと判定されたことがトリガとなり、その後、明暗パターンが取得される。時間の計測がスタートされた後、ＬＥＤ６が、明るさ判定手段１３における判定結果を、明状態及び暗状態に変更するタイミングを報知する。
【００４０】  具体的には、ＬＥＤ６は、時間の計測がスタートされた後、０．２秒後に、０．２秒だけ点灯される。そして、このＬＥＤ６の点灯により、リモートコントローラ１００を操作するユーザは、明るさ検出部５を露出するか指で覆うかを選択する１回目のタイミングを知ることができる。そして、これが４回繰り返され、夫々、１回目、２回目、３回目、４回目において、ＬＥＤ６が０．２秒だけ点灯される。
【００４１】  なお、この点灯時間及び消灯時間は、適宜選択することができ、夫々０．５秒及び０．５秒としてもよい。また、報知部７は、ＬＥＤ６のほかに、表示部２におけるバックライト２ｂが使用されてもよい。更に、表示部２は、スピーカ等としてもよく、この場合、音を発することによって、報知される。
【００４２】  次に、本実施の形態２に係るリモートコントローラ１００の動作について説明する。図６は、実施の形態２に係るリモートコントローラ１００の動作を示すフローチャートである。図６に示すように、リモートコントローラ１００の制御が開始されると、先ず、人判定手段１１によって、人検出部４において人がいないことが検出されたか否かが判定される（ステップＳ１１）。人判定手段１１によって、人がいると判定された場合（ステップＳ１１のＮｏ）、再度ステップＳ１１に戻る。一方、人判定手段１１によって、人がいないと判定された場合（ステップＳ１１のＹｅｓ）、ステップＳ１２に進む。
【００４３】  ステップＳ１２では、入力判定手段１２によって、タッチパネル３における入力が行われたか否かが判定される。入力判定手段１２によって、入力が行われていない（入力なし）と判定された場合（ステップＳ１２のＮｏ）、ステップＳ１１に戻る。これに対し、入力判定手段１２によって、入力が行われた（入力あり）と判定された場合（ステップＳ１２のＹｅｓ）、明暗パターン入力受付モードに移行される（ステップＳ１３）。
【００４４】  その後、ステップＳ１４において、ＬＥＤ６の点灯及び消灯によって、明状態及び暗状態のタイミングが報知される。そして、ステップＳ１４において、明るさ判定手段１３によって得られる判定結果、即ち、明暗パターンが取得される。その後、パターン判定手段１４によって、明暗パターンと明るさ基準パターンとが比較される（ステップＳ１５）。
【００４５】  パターン判定手段１４によって、明暗パターンと明るさ基準パターンとが相違することが判定された場合（ステップＳ１５のＮｏ）、ステップＳ１１に戻る。これに対し、パターン判定手段１４によって、明暗パターンと明るさ基準パターンとが一致することが判定された場合（ステップＳ１５のＹｅｓ）、通常モードから検出座標補正モードに移行される（ステップＳ１６）。そして、検出座標補正モードにおいて、タッチパネル３の検出座標の補正が行われると、その処理が完了され、通常モードに復帰される。
【００４６】  以上説明したように、本実施の形態２は、報知部７が、明るさ判定手段１３における判定結果を、明状態及び暗状態に変更するタイミングを報知する。このため、リモートコントローラ１００を操作するユーザは、明るさ検出部５における明状態及び暗状態を選択するタイミングを容易に認識することができる。よって、本実施の形態２は、実施の形態１で得られる効果に加え、リモートコントローラ１００の使い勝手が向上するという効果を奏する。
【符号の説明】
【００４７】  １  リモートコントローラ、２  表示部、２ａ  液晶パネル、２ｂ  バックライト、３  タッチパネル、４  人検出部、５  明るさ検出部、６  ＬＥＤ、７  報知部、１０  制御部、１１  人判定手段、１２  入力判定手段、１３  明るさ判定手段、１４  パターン判定手段。
【図１】
2015140972.tif 000003
【図２】
2015140972.tif 000004
【図３】
2015140972.tif 000005
【図４】
2015140972.tif 000006
【図５】
2015140972.tif 000007
【図６】
2015140972.tif 000008
【手続補正書】
【提出日】平成28年4月19日(2016.4.19)
【手続補正１】
【補正対象書類名】明細書
【補正対象項目名】００２４
【補正方法】変更
【補正の内容】
【００２４】
そして、明暗パターンは、これらの４回の明状態と暗状態との組み合わせからなるものである。図３においては、１回目：暗状態、２回目：暗状態、３回目：明状態、４回目：暗状態という明暗パターンを例示している。明るさ判定手段１３は、これらの明暗パターンを含む信号を、パターン判定手段１４に送信する。
【手続補正２】
【補正対象書類名】明細書
【補正対象項目名】００２５
【補正方法】変更
【補正の内容】
【００２５】
なお、明るさ判定手段１３は、明るさ検出部５において検出された明るさが明るさ閾値以上であると判定した場合、この情報を含む信号を、パターン判定手段１４に送信するように構成してもよい。この場合、明るさ判定手段１３における判定結果である明暗パターンは、１回目：暗状態のみである。
【手続補正３】
【補正対象書類名】明細書
【補正対象項目名】００２６
【補正方法】変更
【補正の内容】
【００２６】
（パターン判定手段１４）
パターン判定手段１４は、明るさ判定手段１３における判定結果と、予め決められた明るさ基準パターンとを比較するものである。より具体的には、パターン判定手段１４は、明るさ検出部５において検出された明るさが明るさ閾値以上である明状態と明るさ検出部５において検出された明るさが明るさ閾値未満である暗状態との組み合わせである明暗パターンと、明るさ基準パターンとを比較するものである。なお、明るさ基準パターンは、合計で４回の明状態と暗状態との組み合わせからなるものである。本実施の形態１においては、１回目：暗状態、２回目：暗状態、３回目：明状態、４回目：暗状態という明るさ基準パターンとしている。
【手続補正４】
【補正対象書類名】特許請求の範囲
【補正対象項目名】全文
【補正方法】変更
【補正の内容】
【特許請求の範囲】
【請求項１】
情報を表示する表示部と、
前記表示部の前面に設けられ、前記表示部への入力操作が行われるタッチパネルと、
人を検出する人検出部と、
明るさを検出する明るさ検出部と、
前記タッチパネルにおける入力結果、前記人検出部における検出結果、及び前記明るさ検出部における検出結果に基づいて、前記表示部における表示状態を、通常モードから、管理情報を表示する管理モードに切り替える制御部と、を有する
リモートコントローラ。
【請求項２】
前記制御部は、
前記人検出部において人がいないことが検出されたか否かを判定する人判定手段を有し、
前記人判定手段において人がいないと判定された場合、前記表示部における表示状態を切り替えるものである
請求項１記載のリモートコントローラ。
【請求項３】
前記制御部は、
前記タッチパネルにおける入力が行われたか否かを判定する入力判定手段を有し、
前記入力判定手段において入力が行われたと判定された場合、前記表示部における表示状態を切り替えるものである
請求項１又は２記載のリモートコントローラ。
【請求項４】
前記制御部は、
前記明るさ検出部において検出された明るさが、予め決められた明るさ閾値以上であるか否かを判定する明るさ判定手段を更に有し、
前記明るさ検出部において検出された明るさが前記明るさ閾値以上であると前記明るさ判定手段において判定された場合、前記表示部における表示状態を切り替えるものである
請求項１〜３のいずれか１項に記載のリモートコントローラ。
【請求項５】
前記明るさ判定手段は、
前記人判定手段において人がいないと判定され、且つ前記入力判定手段において入力が行われたと判定された場合、前記明るさ検出部において検出された明るさが、予め決められた明るさ閾値以上であるか否かを判定するものである
請求項２及び３に従属する請求項４記載のリモートコントローラ。
【請求項６】
前記制御部は、
前記明るさ判定手段における判定結果と、予め決められた明るさ基準パターンとを比較するパターン判定手段を更に有し、
前記明るさ判定手段における判定結果と前記明るさ基準パターンとが一致したことが前記パターン判定手段において判定された場合、前記表示部における表示状態を切り替えるものである
請求項４又は５記載のリモートコントローラ。
【請求項７】
前記パターン判定手段は、
前記明るさ検出部において検出された明るさが前記明るさ閾値以上である明状態と前記明るさ検出部において検出された明るさが前記明るさ閾値未満である暗状態との組み合わせである明暗パターンと、前記明るさ基準パターンとを比較するものである
請求項６記載のリモートコントローラ。
【請求項８】
前記明暗パターンは、
予め決められた時間毎の前記明状態と前記暗状態との組み合わせからなる
請求項７記載のリモートコントローラ。
【請求項９】
前記明るさ判定手段における判定結果を、前記明状態及び前記暗状態に変更するタイミングを報知する報知部と、を更に有する
請求項７又は８記載のリモートコントローラ。
【請求項１０】
前記表示部は、
液晶パネルとバックライトとを有し、
前記報知部として、前記バックライトが使用される
請求項９記載のリモートコントローラ。
【請求項１１】
前記報知部は、
ＬＥＤである
請求項９又は１０記載のリモートコントローラ。
【請求項１２】
前記管理モードは、前記タッチパネルにおける検出座標の補正が行われる検出座標補正モードである
請求項１〜１１のいずれか１項に記載のリモートコントローラ。
【国際調査報告】
2015140972.tif 000009
2015140972.tif 000010
2015140972.tif 000011
2015140972.tif 000012